(57)【特許請求の範囲】
【請求項１】
外枠筐体内に設けられた円筒形状の外槽と、前記外槽内に回転自在に設けられ洗濯物を収納する円筒形状の洗濯乾燥槽と、圧縮機，放熱器，吸熱器を備えるヒートポンプ装置とを有する洗濯乾燥機において、
前記ヒートポンプ装置の下部に前記吸熱器の凝縮により生成された凝縮水を溜める凝縮水貯溜槽を設け、
前記外槽の底部に連通するように設けた排水路と、
前記排水路に縦列につながれた二つの排水電磁弁と、
上流側が前記凝縮水貯溜槽の底部に連通され、下流側が前記二つの排水電磁弁の間に連通された凝縮水排水路と、
前記凝縮水排水路に設けた揚水ポンプとを有し、
前記外槽内の水を排水する際は、前記二つの排水電磁弁を開放作動させ、
前記凝縮水貯溜槽に溜めた水を前記外槽に移す際は、上流側の前記排水電磁弁を開放作動させるとともに下流側の前記排水電磁弁を閉成作動させたもとで、揚水ポンプを運転することを特徴とする洗濯乾燥機。
【発明の詳細な説明】
【技術分野】
【０００１】
本発明は、ヒートポンプ装置を搭載したドラム式の洗濯乾燥機に関するものである。
【背景技術】
【０００２】
ヒートポンプ装置を搭載した洗濯乾燥機は、特開昭６４−３２８９３号公報（特許文献１）に記載されている。洗濯乾燥機のヒートポンプ装置は、冷媒を圧縮する圧縮機，圧縮された冷媒の熱を放熱する放熱器，圧縮された冷媒の圧力を減圧する調整弁，減圧されて低圧となった冷媒が周囲から熱を奪う吸熱器を有する。
【０００３】
この洗濯乾燥機は、ヒートポンプ装置を乾燥工程で運転して乾燥用空気の加熱と除湿とをしながら乾燥を行う。
【０００４】
【特許文献１】特開昭６４−３２８９３号公報
【発明の開示】
【発明が解決しようとする課題】
【０００５】
この洗濯乾燥機は、乾燥工程では乾燥用空気の除湿と加熱とをしながら乾燥を行うので乾燥が速くなる。
【０００６】
この洗濯乾燥機は、乾燥工程の運転中に凝縮水が生成される。この凝縮水は機外に排水していた。一回の洗濯乾燥で生成される凝縮水量は、約１７Ｌ（リットル）である。
【０００７】
本発明は、上記の現状に鑑み、乾燥工程で生成される凝縮水を洗濯水に活用する洗濯乾燥機を提供することを目的とする。
【課題を解決するための手段】
【０００８】
本発明は、外枠筐体内に設けられた円筒形状の外槽と、前記外槽内に回転自在に設けられ洗濯物を収納する円筒形状の洗濯乾燥槽と、圧縮機，放熱器，吸熱器を備えるヒートポンプ装置とを有する洗濯乾燥機において、前記ヒートポンプ装置の下部に前記吸熱器の凝縮により生成された凝縮水を溜める凝縮水貯溜槽を設けたことを特徴とする。
【発明の効果】
【０００９】
本発明によれば、乾燥運転中に溜めた凝縮水を洗濯に活用するので、節水を図ることができる。
【発明を実施するための最良の形態】
【００１０】
本発明の実施例について、図面を引用して説明する。
【００１１】
図１に示すように、ドラム式の洗濯乾燥機は、外枠筐体１の内側に有底円筒形状の外槽２が置かれる。外槽２は、中央より後寄りが複数個のサスペンション３により下方から支持される。また外槽２はその上部から引きバネ４により吊り下げ支持される。
【００１２】
サスペンション３は、外槽２を含む全重量を支持するものであり、強固な弾性支持構成を有し、外枠筐体１の外枠ベース２０に固定されている。特に脱水運転時に生じる外槽２の強い上下振動を吸収し、脱水起動時に発生する外槽２の異常振動を防止するための減衰機構などが設けられている。
【００１３】
サスペンション３の取付け位置は外槽２のほぼ重心位置に設けられる。外槽２は、後端側が下になるように傾斜するように設けられているので、サスペンション３を後側に位置させるサスペンション３の高さが低くなる。サスペンション３のストロークが少なくなる。
【００１４】
このため、サスペンションの減衰機能を維持する上で、サスペンション３の取付け位置は外槽２のほぼ中心側に位置した方が、後方に位置するよりも望ましい。
【００１５】
また、外槽２の上部から吊り下げ支持する引きバネ４は、外槽２の倒れ防止を兼ねた支持や脱水時の上下・左右振動を低減するために設けられている。
【００１６】
外枠筐体１の上側内部には、給水電磁弁６，洗剤投入ケース８が設けられる。洗剤投入ケース８は、注水ホース７により給水電磁弁６と連通接続される。給水電磁弁６には、給水ホース５が接続される。給水ホース５の先端は水道の蛇口（図示せず）に接続される。
【００１７】
洗濯やすすぎ時には、給水電磁弁６が開放操作され、注水ホース７から洗剤投入ケース８に洗濯やすすぎに必要な水が供給される。
【００１８】
洗剤投入ケース８には、洗濯に必要な洗剤が投入される。また、すすぎ時に、洗濯物の仕上がりを良くするための柔軟仕上げ剤が洗剤投入ケース８に設けられた仕上げ剤を溜めるケース部に投入され、必要な時に外槽２に自動的に投入される。
【００１９】
すなわち、洗濯時に、注水ホース７から供給された水により、洗剤投入ケース８内で洗剤が溶かされ、フレキシブルホース１０を流れて外槽２の上部から内部に投入される。
【００２０】
洗濯乾燥槽１１は、外槽２に回動自在に内置される。前側に投入口が設けられた有底円筒形を有する洗濯乾燥槽１１は、前端を外枠筐体１の前側に向け、後端を外枠筐体１の後側に向けるように配置される。
【００２１】
洗濯乾燥槽１１が内置される外槽２も外枠筐体１の前側に向け、後端を外枠筐体１の後側に向けるように配置される。
【００２２】
外槽２と洗濯乾燥槽１１は、円筒形の軸心線が同心になるように置かれ、かつ洗濯乾燥槽１１の投入口１１ａと外槽２の投入口１１ｂが外枠筐体１の前側に設けられている投入口１１ｃに臨むように配置される。
【００２３】
外槽２と洗濯乾燥槽１１は、投入口が設けられている前端側の方を上に、後端側の方を下になるように傾斜させて配置される。この傾き角度（水平線に対する軸心線の角度）θは、１５度である。洗濯物の取出しなどから１５度程度の傾き角度が望ましいが、（５〜３０）度程度の範囲内で傾き角度θを選択できる。
【００２４】
外枠筐体１は、投入口１１ｃを開閉される外蓋１２が備えられる。洗濯乾燥槽１１に洗濯物の出し入れする際に外蓋１２の開閉が行われる。
【００２５】
ベローズ２１は、外枠筐体１の投入口１１ｃの口縁部と、外槽２の投入口１１ｂの内縁部に水密的に取付けられる。このゴム（弾性体）で出来ているベローズ２１により、外枠筐体１と外槽２の間の水密は保たれる。外蓋１２は、内側がベローズ２１に密着するので、外枠筐体１の投入口１１ｃから外部への漏水は生じない。
【００２６】
洗濯乾燥槽１１は、バランサー１３を有する。バランサー１３の内周側が前述した投入口１１ａになっている。このバランサー１３により、脱水時の振動は低減される。また、洗濯乾燥槽１１は、円筒部に複数の脱水穴１４を有する。脱水時に、洗濯物に含まれている水分が脱水穴１４により遠心力で外槽２内に脱水される。
【００２７】
洗濯乾燥槽１１の円筒部には、内周に複数（３本）のリフター１６が設けられる。このリフター１６は、軸心線（回転軸心線）の方向に沿って延在する。リフター１６の高さは、通常は長手方向に亘ってほぼ同じ高さである。
【００２８】
奥側に位置する洗濯物の動きを良くするため、リフター１６は洗濯乾燥槽１１の回転軸心に対してほぼ水平（下側に位置した際での水平）とすることも可能である。複数のリフター１６は、例えば３本の場合、１２０度の等間隔で配置される。
【００２９】
ＤＣブラシレスモータ１９は、外槽２の後部外面に取付け固定される。このＤＣブラシレスモータ１９は、洗濯乾燥槽１１を回転駆動する駆動源である。
【００３０】
洗濯乾燥槽１１は、円筒部の底側である後端にフランジ１７を有する。フランジ１７に設けた主軸１８は、ＤＣブラシレスモータ１９のロータ側に結合される。こうして、洗濯乾燥槽１１は、駆動源のＤＣブラシレスモータ１９を介して外槽２に回転自在に支持される。
【００３１】
排水路の排水ホース２３は、外槽２の後下部に連通するように設けられる。この排水路には、二つの排水弁２２Ａ，２２Ｂが縦につながるように設けられる。二つの排水電磁弁２２Ａ，２２Ｂを開放操作することにより、外槽２に溜まっている洗濯水やすすぎ水は、排水ホース２３を通じて機外に排水される。
【００３２】
排水路の排水ホース２３は、外枠ベース２０を貫通して下流側の先端は家屋の排水穴に挿入される。
【００３３】
次にヒートポンプ装置、及び関連するところを含めて、図２，図３を加えて説明する。
【００３４】
ヒートポンプ装置４０は、図１，図２，図３に示すように、圧縮機４１，吸熱器４２，放熱器４３，減圧用の調整弁４４，冷媒が流れる連通管４５等を有する。
【００３５】
このヒートポンプ装置４０は、外枠筐体１内で外槽２の前端下方に配置される。
【００３６】
外枠筐体１内は、外槽２の前端下方の空間が大きい。これは、外槽２と洗濯乾燥槽１１を投入口の設けられている前端側の方が上になるように傾斜させて配置されているので、水平に配置する場合に比べ、外槽２の前端下方の空間が大きくなる。この大きくなった外槽２の前端下方の空間を利用してヒートポンプ装置４０を置くようにした。これにより、従来のような外枠筐体の奥行を大きくする必要がなくなり、コンパクトな洗濯乾燥機を提供することができる。コンパクトなサイズの洗濯乾燥機であるので、据付面積が少なくなる。
【００３７】
圧縮機用の駆動モータとして、ネオジマグネットで作られた希土類の磁石を使用した
ＤＣブラシレスモータを採用したリニヤー方式を用いた。
【００３８】
これにより、ヒートポンプ装置の全体サイズをコンパクト化できる。またリニヤー方式により、騒音，振動が小さく、効率の良い圧縮機を提供できた。
【００３９】
ヒートポンプ装置の構成ついて更に詳しく述べる。
【００４０】
ヒートポンプ装置４０は、外枠ケース５０と、外枠ケースに内置される吸熱器４２と、吸熱器４２の下側に位置する放熱器４３と、吸熱器４２の上側に位置するリント捕集部材５１と、吸熱器４２や放熱器４３の右側に位置する圧縮機４１（図３には図示せず）とを有する。放熱器４３と吸熱器４２の間には、通風凝縮水ガイド５３が設けられる。
【００４１】
さらにヒートポンプ装置４０は、外枠ケース５０の上側に設けた乾燥用空気が流れ込む流入口管５４と、外枠ケース５０の下側に設けた乾燥用空気が流れ出る流出口管５５とを有する。
【００４２】
また、ヒートポンプ装置４０の外枠ケース５０の下側には、中央底部に設けた凝縮水の流出口５６を有する凝縮水貯溜槽５２が設けられる。
【００４３】
リント捕集部材５１は、フレーム５１ａと、このフレーム５１ａに張られたリント捕集ネット５１ｂを有する。流入口管５４から外枠ケース５０内に流れ込んだ乾燥用空気は、リント捕集ネット５１ｂを通過し、吸熱器４２を経て放熱器４３へと流れ熱交換が行われる。
【００４４】
その乾燥用空気がリント捕集ネット５１ｂを通過する際に乾燥用空気に含まれるリントは除去される。濾過された乾燥用空気になるので、吸熱器４２，放熱器４３にリントの付着が生じず、吸熱器４２，放熱器４３の熱交換が良好に行われる。
【００４５】
リント捕集部材５１は、捕集したリントの掃除ができるように、外枠ケース５０の前側から出し入れできるように着脱自在になっている。ヒートポンプ装置４０は、外枠ケース５０の前側が外枠筐体１の前側になるように置かれる。
【００４６】
リント捕集部材５１の着脱は、洗濯乾燥機の前側できるので、着脱が容易で掃除がし易い。リント捕集部材５１のフレーム５１ａに取っ手５１ｃを設けると、取扱い性が更に向上する。
【００４７】
通風凝縮水ガイド５３は、放熱器４３と吸熱器４２の間にあって吸熱器４２を通過した乾燥用空気を放熱器４３に導く。通風凝縮水ガイド５３は、傾斜部５３ａと垂下部５３ｂを有する。
【００４８】
この傾斜部５３ａと垂下部５３ｂは、放熱器４３を上側から被うので、吸熱器４２に発生して滴下する凝縮水は通風凝縮水ガイド５３を伝わって凝縮水貯溜槽５２に落下する。
【００４９】
このため、吸熱器４２で発生した凝縮水が放熱器４３に触れることがなく、放熱器４３による乾燥用空気の加熱が良好に行われる。凝縮水が放熱器４３に触れて蒸気になり、乾燥用空気の含まれるようなことも生じないので、良く乾いた高温の乾燥に適する乾燥用空気を作ることができる。
【００５０】
また、ヒートポンプ装置４０は、放熱器４３，吸熱器４２，リント捕集部材５１が上下に積み重なる構成であるので、丈が高く、奥行の少ない形状を有する。前述したように外槽２の傾斜配置により、外槽２の前端下方に大きな空間を作ることができるので、丈の高いヒートポンプ装置４０を配置できる。またヒートポンプ装置４０は奥行きが少ないので、傾斜配置の外槽２との干渉（接触）も生じない。
【００５１】
更に吸熱器，放熱器について詳しく述べる。
【００５２】
吸熱器４２は、冷媒が巡るように流れる吸熱管６０と、この吸熱管６０の熱を乾燥用空気に伝える多数の吸熱フィン６１を有する。多数の放熱フィン６１は隙間をとって積み重なるように並んでいる。
【００５３】
放熱器４３は、冷媒が巡るように流れる放熱管７０と、この放熱管７０の熱を乾燥用空気に伝える多数の放熱フィン７１を有する。多数の放熱フィン７１は隙間をとって積み重なるように並んでいる。
【００５４】
図１，図２，図３に示すように、ヒートポンプ装置４０の流入口管５４は、外槽２の後部側に設けられた送風ファンユニット８０に吸引循環パイプ８１（乾燥用空気循環路）を介して連通される。吸引循環パイプ８１には、流入口管５４側に蛇腹ホース８２が設けられる。この蛇腹ホース８２により、外槽２側からの振動が吸収され、ヒートポンプ装置
４０に伝わらない。
【００５５】
送風ファンユニット８０は、内部に送風ファン８３を有する。この送風ファン８３により、外槽２内の乾燥用空気は吸引循環パイプ８１（乾燥用空気循環路）を通じてヒートポンプ装置４０に送風される。
【００５６】
ヒートポンプ装置４０の流出口管５５は、外槽２の前端部側に吐出循環パイプ８４（乾燥用空気循環路）を介して連通される。吐出循環パイプ８４には、流出口管５５側に蛇腹ホース８５が設けられる。この蛇腹ホース８５により、外槽２側からの振動が吸収され、ヒートポンプ装置４０に伝わらない。
【００５７】
ヒートポンプ装置４０により熱交換が行われた乾燥用空気は、吐出循環パイプ８４を流れて外槽２に還流する。
【００５８】
すなわち、洗濯乾燥槽１１内を流れる乾燥用空気は、洗濯物９の水分を吸収して外槽２の後端側から吸引循環パイプ８１（乾燥用空気循環路）を流れてヒートポンプ装置４０に流入する。
【００５９】
ここで、水分を含んだ高温の乾燥用空気はヒートポンプ装置４０の吸熱器４２に接して冷やされ、水分が凝縮水となって奪取されるので乾いた空気に変わる。その後、放熱器
４３に接して乾いた高温になった乾燥用空気は、吐出循環パイプ８４，外槽２を経て洗濯乾燥槽１１内に流入し、洗濯物９の水分を吸収する。このような乾燥用空気の循環が繰り返えされて洗濯物９の乾燥が行われるのである。
【００６０】
本発明の主要部である凝縮水貯溜槽，凝縮水排水路，洗濯水の排水路について、図１，図３に沿って更に詳しく述べる。
【００６１】
凝縮水貯溜槽５２は、浅底の底部５２ａと、周縁フランジ部５２ｂと、底部５２ａの窪みに連通するように設けた凝縮水の流出口５６を有する。
【００６２】
ヒートポンプ装置４０の外枠ケース５０の底側は、周縁フランジ部５２ｂの内側に嵌る。この嵌合により、凝縮水貯溜槽５２はヒートポンプ装置４０に取付けられる。
【００６３】
凝縮水排水路は凝縮水排水ホース２９，流出口５６を含む。凝縮水排水路の上流側は凝縮水貯溜槽５２の底部に連通し、下流側は洗濯水の排水路に連通する。より詳しく言うと、排水路の下流側は排水弁２２Ａと排水弁２２Ｂとの間につながる。
【００６４】
揚水ポンプ１００は、凝縮水排水路に設けられる。この揚水ポンプ１００は排水弁22Ａが開放となり外槽２内の洗濯水やすすぎ水が排水されるとき、ヒートポンプ装置４０の凝縮水貯溜槽５２に逆流しないように逆止弁（図省略）が設けてある。乾燥時に凝縮された水は、洗濯やすすぎ時揚水ポンプ１００により、凝縮水貯溜槽５２に溜まる凝縮水は外槽２に揚水される。
【００６５】
図１に示すように、ヒートポンプ装置４０の底部の位置（Ｈ１）は排水電磁弁２２Ｂの位置（Ｈ２）よりも高い。ヒートポンプ装置４０は外枠ベース２０に設けた支持脚２６に支持されて底上げされている。
【００６６】
これにより、排水電磁弁２２Ｂが開放されると、ヒートポンプ装置４０の凝縮水は凝縮水排水路に溜まることなく、排水ホース２３（排水路）を通じて機外に排水される。
【００６７】
なお、ヒートポンプ装置４０が底上げできるのは、前述したように外槽２の傾斜配置により、外槽２の前端下方が上下方向に大きな空間に形成されたからである。
【００６８】
洗濯運転中は排水電磁弁２２Ａが閉じられている。洗濯水の排水は、排水電磁弁２２Ａと排水電磁弁２２Ｂを開くことにより行われる。
【００６９】
乾燥運転中は排水電磁弁２２Ａと排水電磁弁２２Ｂを閉じられている。乾燥運転により、生成された凝縮水は、凝縮水貯溜槽５２と凝縮水排水路内に溜まる。
【００７０】
この溜まった水は、次の洗濯運転に活用される。排水電磁弁２２Ａを開放し、揚水ポンプ１００を運転することにより、外槽２内に移される。水を全部移したら、排水電磁弁
２２Ａは閉じられ、不足分の水は水道水で補って洗濯が行われる。
【００７１】
このように、乾燥運転で生成された凝縮水を次の洗濯に活用することにより、水道水の節水を図ることができる。
【００７２】
凝縮水貯溜槽，凝縮水排水路に関する他の実施例について、図４，図５を引用して説明する。
【００７３】
凝縮水貯溜槽７００は、底部７００ａと、周壁部７００ｂと、周壁部７００ｂの内側面に縦に延在する複数の支持リブ７００ｃと、底部７００ａに設けた流出口７００ｄとを有する。
【００７４】
ヒートポンプ装置４０は、外枠ケース５０の底側を支持リブ７００ｄに載せて置かれる。合さる外枠ケース５０のフランジ５０ｅと、凝縮水貯溜槽７００のフランジ７００ｆをネジ７１０でネジ止めする。
【００７５】
流出口ｄは、トラップ７２０を介して凝縮水排水ホース２９に連通する。トラップ720の流出端には、逆止弁７３０が設けられる。凝縮水排水路は、流出口７００ｄ，トラップ７２０，凝縮水排水ホース２９を含む。
【００７６】
トラップ７２０には、トラック水７２１が溜まっている。洗濯水の排水路，凝縮水排水路に伝わって来る下水道の異臭は、トラップ７２０のトラック水７２１で遮断されるので、洗濯乾燥機に下水道の臭いが付かない。
【００７７】
トラップ７２０は逆止弁７３０を有するので、洗濯水が凝縮水排水路を逆流しても逆止弁７３０のところで止められ、凝縮水貯溜槽７００内の流入は抑えられる。
【００７８】
この実施例の凝縮水貯溜槽７００は、凝縮水の溜まる容積が先の実施例（図３）に比べ大きい。
【００７９】
すなわち、凝縮水貯溜槽７００にあっては、ヒートポンプ装置４０の底側が支持リブ
７００ｄに載置されるようになるので、ヒートポンプ装置４０の底側と底部７００ａとの間に大きな空間が確保されることになる。図３に示す実施例に比べ、多くの凝縮水をためるので、一回の乾燥運転で生成される約１７Ｌの凝縮水を優に貯溜できるのである。
【００８０】
凝縮水貯溜槽７００に溜まる水位が上がり過ぎて放熱器に濡れてしまうことが生じないので、乾燥性能を損ねることがない。
【００８１】
なお、洗濯に必要な水量は、約２５Ｌである。半分以上の節水が図られるのである。
【００８２】
次に図６を引用してドラム式の洗濯乾燥機の運転工程について説明する。
【００８３】
この運転工程は、洗濯物９に付着した汚れを落したり、またすすぎで洗剤分をすすいだり、また洗濯物９に含まれた水分を洗濯乾燥槽１１の回転により脱水穴１４から遠心力で脱水したり、それらの水分を排水することを自動的に行う一般的な自動洗濯コースを示すブロック図である。
【００８４】
先ず、給水電磁弁６の操作により給水５００が行われる。図１に示す給水量３０まで給水される。
【００８５】
この給水５００に先立ち、前回の洗濯乾燥で溜めた凝縮水が揚水ポンプ１００の運転により、外槽２に給水される。この凝縮水の分、水道水が節水される。
【００８６】
洗い５０１では洗濯に必要な水が外槽２内に給水されると、ＤＣブラシレスモータ１９が回転して洗濯乾燥槽１１を駆動回転する。
【００８７】
この時、洗濯乾燥槽１１の回転速度は毎分４０〜５０回転くらいで、休止を間において右回転，左回転を数分間行い、洗濯物が洗濯乾燥槽１１内のリフター１６によりかき上げられながら、叩き洗いにより洗濯される。この洗濯運転中に放熱器４３に放熱により洗濯水が加熱され、洗浄が促進される。
【００８８】
洗い５０１が終了すると、洗濯物から流出た汚れを含む洗濯水を洗濯乾燥機の機外に排出する排水５０２へ移行する。
【００８９】
排水が終了した後、洗濯物に含まれている洗剤分を脱水する脱水５０３へ移行する。脱水５０３では、洗濯乾燥槽１１を高速回転して洗濯物を遠心力により洗濯乾燥槽１１の内壁に複数個設けられた脱水穴１４より洗濯物に含まれる水が脱水される。
【００９０】
脱水５０３が終了すると、洗濯物に含まれた洗剤分をすすぐ，すすぎ５０５へと移行する。
【００９１】
すすぎ５０５の運転に入る前に、洗い５０１と同じように清水を給水する給水５０４にて必要な清水を外槽２内に給水する。
【００９２】
一般的に、すすぎに必要な清水は洗い時と同じく、約３０Ｌ程度の給水が行われる。
【００９３】
規定量の清水が給水されると、すすぎ５０５に自動的に進行し、洗い５０１と同じように洗濯乾燥槽１１が低速で反転しながら回転し、洗濯物にふくまれた洗剤分を除去する。
【００９４】
すすぎ終了後の排水５０６−脱水５０７−すすぎ（２）５０８−排水５０９は前述した動作と同じように行われ、最後に洗濯物に含まれる水分を十分に脱水する最終脱水５１０へ移行する。
【００９５】
最終脱水５１０の脱水時間は一般的に５分以上で洗濯乾燥槽１１を高速にて回転させ洗濯物の水分を除去するものであり、この時の脱水率は６０〜６５％に至る。
【００９６】
なお、ドラム式の洗濯乾燥機にヒートポンプ装置を設けて、洗いから乾燥まで自動的に進行するドラム式の洗濯乾燥機の場合などは、最終脱水５１０が終了した後、自動的に乾燥工程５１１へ移行する。
【００９７】
乾燥工程５１１では、洗濯物の水分が脱水工程で十分に除去された後、図６で説明したヒートポンプ装置により放熱器４３で熱交換された温風の乾燥用空気を洗濯物に吹き付けながら洗濯乾燥槽１１を毎分約５０回転くらいの速度で反転もしくは一方向に回転させて洗濯物の水分を除去し乾燥させるものである。
【００９８】
乾燥工程５１１では、洗濯物の乾燥が行われる。洗濯乾燥槽１１内で洗濯物の水分が乾燥用空気に吸収され、送風ファン８３に吸われて吸熱器４２へ送られた乾燥用空気より水分が凝縮水として奪取される。
【００９９】
奪取された結露水（凝縮水）は、凝縮水貯溜槽に貯溜される。排水電磁弁２２Ｂを開放して置くと、奪取された結露水（凝縮水）は凝縮水排水ホース２９を通して排水される。
【０１００】
除湿された乾燥用空気は、吐出循環パイプ８４（乾燥用空気循環路）を流れて外槽２内に、さらに洗濯乾燥槽１１内へ送り込まれる。
【０１０１】
乾燥用空気は洗濯乾燥槽１１および外槽２を加熱して洗濯物の乾燥を促進する。乾燥終了後は、自動的に終了５１２へ移行して洗濯乾燥コースを終了する。
【０１０２】
次に図７の回路ブロック図を引用してドラム式の洗濯乾燥機の駆動について説明する。
【０１０３】
電源６００はＡＣ１００Ｖ５０／６０Ｈｚに接続され、先ず電源スイッチ６０１を投入する。
【０１０４】
通電された電源は、電源ラインノイズや空中電波ノイズをカットするフィルター回路
６０２を介在して、ＤＣブラシレスモータ１９の駆動電源である整流回路６０３で交流電源から高圧の直流電源に変換し、ＤＣブラシレスモータ駆動回路であるＤＣインバータ駆動回路６０４に供給する。
【０１０５】
ＤＣインバータ駆動回路６０４はＤＣブラシレスモータＵ相６０５，Ｖ相６０７，Ｗ相６０８の各相コイルにマイコン６０９の制御指令により、電気角１２０度もしくは１８０度で電源を供給するＩＧＰＴ素子回路の通電によって運転制御される。
【０１０６】
ＤＣブラシレスモータ１９の回転制御は、複数個の磁石を有したロータ（図省略）の回転により、ＤＣブラシレスモータ１９の外周部に固定して設置されているＩＣホール素子６０６からの信号をマイコン６０９に取込み回転数を制御して洗濯乾燥槽１１の回転速度を調整している。
【０１０７】
また、洗い時に洗濯物に付着した汚れや洗剤分を除去するすすぎ時に必要な清水はマイコン６０９の指令により、駆動回路部６１０に接続された給水電磁弁６に通電されて給水される。また排水時においては、排水電磁弁２２Ａ，２２Ｂの開放操作を行い、洗濯乾燥機の機外に汚れた水を排水する。
【０１０８】
また、乾燥時には、ヒートポンプ装置の圧縮機４１や、減圧調整弁４４，送風ファン
８３の運転制御が行われる。ヒートポンプ装置で生成された凝縮水は、排水電磁弁２２Ａ，２２Ｂを閉成することにより凝縮水貯溜槽に溜められる。
【０１０９】
その溜めた凝縮水は、揚水ポンプ１００を運転して外槽２に移し、次の洗濯に活用される。凝縮水の移すタイミングは、次の洗濯を開始する際に、または前もって行うことが可能である。
【図面の簡単な説明】
【０１１０】
【図１】本発明の実施例に係わるもので、洗濯乾燥機の縦断面図を示す。
【図２】本発明の実施例に係わるもので、乾燥運転工程での洗濯乾燥機の内部拡大図である。
【図３】本発明の実施例に係わるもので、一部を破断して示したヒートポンプ装置の斜視図である。
【図４】本発明の他の実施例に係わるもので、他のヒートポンプ装置と凝縮水貯溜槽を示す正面図である。
【図５】本発明の他の実施例に係わるもので、凝縮水貯溜槽を示す平面図である。
【図６】本発明の実施例に係わるもので、洗濯乾燥機の運転工程を示す図である。
【図７】本発明の実施例に係わるもので、回路ブロック図である。
【符号の説明】
【０１１１】
１…外枠筐体、２…円筒形状の外槽、１１…洗濯乾燥槽、４０…ヒートポンプ装置、
４１…圧縮機、４２…吸熱器、４３…放熱器、５２…凝縮水貯溜槽。
【図１】
0004691473.tif 000002
【図２】
0004691473.tif 000003
【図３】
0004691473.tif 000004
【図４】
0004691473.tif 000005
【図５】
0004691473.tif 000006
【図６】
0004691473.tif 000007
【図７】
0004691473.tif 000008